(57)【要約】【課題】使用後の密閉性が確実で衛生的であり、必要以上に大きな蓄尿袋を使用することがなく、かつ、箱体の強度も十分な簡易トイレを得る。【解決手段】それぞれ段ボールからなる外箱１と内箱１０とプラスチック製袋２０とを備えた簡易トイレ。外箱１は４面の垂直面部２と底面部と便座部４を備えている。内箱１０は垂直面部１１を備えた筒状をなしている。プラスチック製袋２０は上辺開口部２１に開閉自在なジッパー２２を有し、上辺開口部２１は内箱１０の垂直面部１１の上端で外側に折り返され、かつ、垂直面部１１の上端と外箱１の小蓋部６との間に挟み込まれる。【選択図】図２
2008104558.tif 000002
【特許請求の範囲】
【請求項１】
段ボールからなる複数の垂直面部、底面部及び上部に折り畳み自在に設けた便座部にて囲われた外箱と、
段ボールからなる複数の垂直面部にて囲われ、該垂直面部は前記外箱の垂直面部と略同じ高さを有し、前記外箱に収納された内箱と、
前記内箱の垂直面部の内側に沿って設けられ、上辺開口部に凸部と凹部とからなる開閉自在なジッパーを有し、上辺部分が内箱の垂直面部に係止されたプラスチック製袋と、を備え、
前記プラスチック製袋の上辺開口部は、前記内箱の垂直面部の上端で外側に折り返され、かつ、該垂直面部の上端と前記外箱との間に挟み込まれていること、
を特徴とする簡易トイレ。
【請求項２】
前記プラスチック製袋の上辺部分が前記内箱の垂直面部に形成した切欠きに係止されていることを特徴とする請求項１に記載の簡易トイレ。
【請求項３】
前記プラスチック製袋の上辺部分が前記内箱の垂直面部に形成した穴に係止されていることを特徴とする請求項１に記載の簡易トイレ。
【請求項４】
前記プラスチック製袋の上辺部分が前記内箱の垂直面に接着にて係止されていることを特徴とする請求項１に記載の簡易トイレ。
【発明の詳細な説明】
【技術分野】
【０００１】
本発明は、簡易トイレ、特に、段ボールとプラスチック製袋からなる折り畳み自在で可搬性を有する簡易トイレに関する。
【背景技術】
【０００２】
従来から、段ボールからなる箱体に吸水ポリマーを入れたプラスチック製袋を収納した簡易トイレが種々提供されている。この種の簡易トイレの蓄尿袋としては特許文献１に記載のものが知られており、通常のポリ袋を使用したもので、ポリ袋の開口部を縛るためのひもを添えて市販されている。また、開口部周辺に巾着式にひもを通したポリ袋も市販されている。
【０００３】
しかしながら、従来の簡易トイレでは、使用後におけるポリ袋の開口部の密閉性が悪く、悪臭や汚物の漏れ出しがあった。また、特許文献１に記載されているように、箱体よりもかなり大きいポリ袋を使用しており、不経済でもある。さらに、箱体は使用時に人体の重みが作用することから十分な強度を備えている必要がある。しかし、従来ではこの点への配慮が足らなかった。
【特許文献１】実開昭５６−９７０９４号公報
【発明の開示】
【発明が解決しようとする課題】
【０００４】
そこで、本発明の目的は、使用後の密閉性が確実で衛生的であり、必要以上に大きな蓄尿袋を使用することがなく、かつ、箱体の強度も十分な簡易トイレを提供することにある。
【課題を解決するための手段】
【０００５】
以上の目的を達成するため、本発明に係る簡易トイレは、
段ボールからなる複数の垂直面部、底面部及び上部に折り畳み自在に設けた便座部にて囲われた外箱と、
段ボールからなる複数の垂直面部にて囲われ、該垂直面部は前記外箱の垂直面部と略同じ高さを有し、前記外箱に収納された内箱と、
前記内箱の垂直面部の内側に沿って設けられ、上辺開口部に凸部と凹部とからなる開閉自在なジッパーを有し、上辺部分が内箱の垂直面部に係止されたプラスチック製袋と、を備え、
前記プラスチック製袋の上辺開口部は、前記内箱の垂直面部の上端で外側に折り返され、かつ、該垂直面部の上端と前記外箱との間に挟み込まれていること、
を特徴とする。
【０００６】
本発明に係る簡易トイレにおいては、蓄尿袋としてジッパー付きのプラスチック製袋を用いているため、使用後の密閉性が確実で衛生的である。また、用便時に人が座ったりする箱体は段ボールからなる外箱と内箱とで構成され、いわば二重に構成されているので強度が大きい。また、プラスチック製袋は内箱の垂直面部の内側に沿って設けられ、上辺部分が内箱の垂直面部に係止されているため、プラスチック製袋は内箱の内周面に略沿った小型のものを用いることができ、必要以上に大きな蓄尿袋を使用することはない。また、ジッパーが設けられているプラスチック製袋の上辺開口部は内箱の垂直面部の上端で外側に折り返され、外箱と内箱の間に位置しているため、プラスチック製袋の上辺開口部に糞尿が付着することはなく、この点でも極めて衛生的である。
【０００７】
本発明にかかる簡易トイレにおいて、プラスチック製袋の上辺部分は、内箱の垂直面部に形成した切欠きに係止されていてもよく、あるいは、内箱の垂直面部に形成した穴に係止されていてもよい。また、プラスチック製袋の上辺部分は内箱の垂直面に接着にて係止されていてもよい。
【発明を実施するための最良の形態】
【０００８】
以下、本発明に係る簡易トレイの実施例について、添付図面を参照して説明する。
【０００９】
（第１実施例、図１〜図６参照）
図１及び図２に第１実施例である簡易トイレの斜視図を示す。この簡易トイレは、外箱１と、図３に展開図を示す内箱１０と、図４に示すプラスチック製袋２０とで構成されている。
【００１０】
外箱１は、段ボールを折り曲げて形成したもので、４辺に位置する垂直面部２、底面部３（図６参照）、便座部４、閉止用蓋部５及び小蓋部６とからなる。外箱１は図２に示す形状に組み立てられ、その内部にプラスチック製袋２０を備えた内箱１０が収納され、小蓋部６及び便座部４を上方から閉じる。便座部４と閉止用蓋部５及び小蓋部６はそれぞれ折り畳み自在である。
【００１１】
内箱１０は、段ボールを折り曲げて形成したもので、４辺に位置する垂直面部１１にて囲われた筒状をなし、展開状態を示す図３において左端１２はのり代とされている。そして、垂直面部１１は外箱１の垂直面部２と略同じ高さを有している。
【００１２】
プラスチック製袋２０は、ポリエチレンなどのプラスチックからなる従来から知られた三方を溶断又は溶着した袋であり、上辺開口部２１には凸部と凹部とからなる開閉自在なジッパー２２が設けられている。この袋２０は、ジッパー２２を開放した状態で、図５（Ａ）に示すように、筒状に組み立てられた内箱１０の垂直面部１１の内側に沿って取り付けられ、図５（Ｂ）に示すように、袋２０の上辺開口部２１を外側に折り返すことにより、両端部２１ａが内箱１０の垂直面部１１に形成された切欠き１３に係止される。
【００１３】
以上のごとく袋２０を内箱１０に取り付けた状態は図２に斜視図として示すとおりであり、この状態の袋付き内箱１０を外箱１に収納し、小蓋部６及び便座部４を閉じる。図６はこのように組み立てた簡易トイレのＸ−Ｘ断面を示し、袋２０の上辺開口部２１は、内箱１０の垂直面部１１の上端で外側に折り返され、かつ、垂直面部１１の上端と外箱１の小蓋部６との間に挟み込まれている。また、袋２０内には図示しない吸水ポリマーが適量入れられている。
【００１４】
以上の構成からなる簡易トイレは、その場で組み立てて使用することができる。使用前後においては、便座部４を蓋部５で閉止しておき、蓋部５を開けて用を足すことになる。１０回程度の使用後に、ジッパー２２を閉止して袋２０を取り出し、廃棄する。袋２０にはジッパー２２が設けてあるので、密閉性が確実で衛生的である。
【００１５】
また、用便時に人が座ったりする箱体は、同じ高さの垂直面部２，１１によって二重に構成されているので十分な強度を有している。また、袋２０は内箱１０の垂直面部１１の内側に沿って設けられ、上辺の両端部２１ａが内箱１０の切欠き１３に係止されているため、袋２０は内箱１０の内周面に略沿った小型のものを用いることができ、必要以上に大きな蓄尿袋が必要とされることはない。
【００１６】
また、図６に示すように、ジッパー２２が設けられている袋２０の上辺開口部２１は内箱１０の垂直面部１１の上端で外側に折り返され、かつ、外箱１と内箱１０のそれぞれの垂直面部２，１１の間に位置しているため、袋２０の上辺開口部２１（特に、ジッパー２２）に糞尿が付着することはなく、この点でも極めて衛生的である。
【００１７】
（第２実施例、図７〜図１１参照）
第２実施例である簡易トイレは、図７に示すように、外箱１と、図８に展開図を示す内箱１０と、プラスチック製袋２０とで構成されている。
【００１８】
外箱１及びプラスチック製袋２０は第１実施例と同様であり、共通した符号が付されている。内箱１０も基本的には第１実施例と同様であり、共通した符号が付されている。異なるのは、図８に示すように、稜線部に穴１４が形成されているとともに突片１５が形成されている点である。
【００１９】
内箱１０は、図８に示す展開状態の段ボールを点線部分で折り曲げ、端部の両面テープ１２ａで両端部を接着し、図９に示す筒状体とする。この内箱１０にプラスチック製袋２０を垂直面部１１の内側に沿って取り付け、図１０に示すように、袋２０の上辺開口部２１を外側に折り返し、両端部２１ａを対角線上の穴１４に係止させる。
【００２０】
プラスチック製袋２０は、図１１（Ｂ），（Ｃ）に示すように、閉止専用のスライダ２３を設けたものである。上辺開口部２１を外側に折り返すと、図１１（Ａ）に示すように、両端部２１ａが内側に突出する。このように内側に突出した両端部２１ａが対角線上の穴１４に係止されることになる。また、本第２実施例である簡易トイレの断面図は第１実施例を示した図６と同様である。
【００２１】
以上の構成からなる第２実施例である簡易トイレは、前記第１実施例と同様の方法で使用することができ、その作用効果も第１実施例と同様である。加えて、内箱１０の４隅に突片１５が設けられているため、突片１５が外箱１の内面に当接することで、内箱１０が外箱１の内部で正しく位置決めされることになる。
【００２２】
（他の実施例）
なお、本発明に係る簡易トイレは前記実施例に限定するものではなく、その要旨の範囲内で種々に変更することができる。
【００２３】
特に、第２実施例において、図１２に示すように、プラスチック製袋２０の上辺両端部２１ａを係止する穴１４ａを垂直面部１１の中央部分に設けてもよい。図１３はこの穴１４ａに袋２０の両端部２１ａが係止している状態を模式的に示している。
【００２４】
また、図１４に示すように、内箱１０の垂直面部１１の内面に両面テープ１２ｂを設け、この両面テープ１２ｂにプラスチック製袋２０の上辺部分を接着するようにしてもよい。
【００２５】
あるいは、前記実施例において、内箱１０は垂直面部１１からなる筒状のものを示したが、底面部を設けたものであってもよい。また、便座部４や閉止用蓋部５は外箱１とは別体であってもよい。
【図面の簡単な説明】
【００２６】
【図１】簡易トイレの第１実施例を示し、（Ａ）は使用時の外観斜視図、（Ｂ）は使用前後の外観斜視図である。
【図２】第１実施例の組立て時を示す斜視図である。
【図３】第１実施例に使用されている内箱の展開図である。
【図４】第１実施例に使用されているプラスチック製袋を示す正面図である。
【図５】第１実施例に使用されている内箱と袋とを示し、（Ａ）は内箱に袋を取り付けた状態の正面図、（Ｂ）は袋の上辺開口部を折り返した状態の正面図である。
【図６】図１（Ｂ）のＸ−Ｘ断面図である。
【図７】簡易トイレの第２実施例を示す外観斜視図である。
【図８】第２実施例に使用されている内箱の展開図である。
【図９】第２実施例に使用されている内箱の組立て時の斜視図である。
【図１０】第２実施例に使用されているプラスチック製袋を内箱に取り付けた状態を示す斜視図である。
【図１１】第２実施例に使用されているプラスチック製袋を示し、（Ａ）は上辺開口部を折り返した状態の上面図、（Ｂ）は上面図、（Ｃ）は正面図である。
【図１２】簡易トイレにおける内箱の変形例を示す斜視図である。
【図１３】図１２に示した内箱と袋の模式図である。
【図１４】簡易トイレにおける内箱の他の変形例を示す展開図である。
【符号の説明】
【００２７】
１…外箱
２…垂直面部
３…底面部
４…便座部
１０…内箱
１１…垂直面部
１２ｂ…両面テープ
１３…切欠き
１４、１４ａ…穴
２０…プラスチック製袋
２１…上辺開口部
２２…ジッパー
【図１】
2008104558.tif 000003
【図２】
2008104558.tif 000004
【図３】
2008104558.tif 000005
【図４】
2008104558.tif 000006
【図５】
2008104558.tif 000007
【図６】
2008104558.tif 000008
【図７】
2008104558.tif 000009
【図８】
2008104558.tif 000010
【図９】
2008104558.tif 000011
【図１０】
2008104558.tif 000012
【図１１】
2008104558.tif 000013
【図１２】
2008104558.tif 000014
【図１３】
2008104558.tif 000015
【図１４】
2008104558.tif 000016